(57)【要約】【課題】耐久性及び衛生性に優れた組立式トイレを提供すること。【解決手段】組立式トイレは、便座開口部が設けられた便座部材と、上端部において便座部材に取り付けられるとともに便座開口部を囲んで互いに隣接して取り付けられて便器本体を形成する複数の面部材とを備え、便座部材と面部材及び面部材同士は、着脱自在に構成されており、便座部材と複数の面部材が独立気泡構造を有する発泡樹脂から形成される。【選択図】図１
2019188023.tif 000002
【特許請求の範囲】
【請求項１】
組立式トイレであって、
便座開口部が設けられた便座部材と、
上端部において前記便座部材に取り付けられるとともに、前記便座開口部を囲んで互いに隣接して取り付けられて便器本体を形成する複数の面部材と、
を備え、
前記便座部材と前記面部材及び前記面部材同士は、着脱自在に構成されており、
前記便座部材と複数の前記面部材が独立気泡構造を有する発泡樹脂から形成された、
組立式トイレ。
【請求項２】
請求項１に記載の組立式トイレにおいて、
前記発泡樹脂は、低倍率の発泡ポリプロピレンである、
組立式トイレ。
【請求項３】
請求項１または２に記載の組立式トイレであって、
複数の前記面部材の一部に、使用位置と収容位置とに可動自在に取り付けられた足掛け部を備えた、
組立式トイレ。
【請求項４】
請求項１から３のいずれか１項に記載の組立式トイレにおいて、
複数の前記面部材の下端部に取り付けられる底面部材を備える、
組立式トイレ。
【請求項５】
請求項４に記載の組立式トイレであって、
前記底面部材において、複数の前記面部材によって囲まれる領域に、底面開口部が形成された、
組立式トイレ。
【発明の詳細な説明】
【技術分野】
【０００１】
本発明は、組立式トイレに関する。
【背景技術】
【０００２】
公園等の公共施設には、非常時や災害時に、マンホールの蓋を取り外せば、開口部分をそのままトイレとして使用できる、いわゆるマンホールトイレが整備されているところがある。また、マンホールトイレを利用者が抵抗感を感じることなく使用可能とするために、マンホールトイレの開口部分に設営する便座ユニットが用いられる場合もある。
【０００３】
一方で、家庭内においても使用できる簡易的な組立式トイレも提案されている。特許文献１には、紙ダンボールやプラスチックダンボールを組み合わせて構成される組立式トイレが記載されている。
【先行技術文献】
【特許文献】
【０００４】
【特許文献１】特開２００６−８１６５７号公報
【発明の概要】
【発明が解決しようとする課題】
【０００５】
前者の便座ユニットは、比較的大がかりなものであるため、設営が煩雑であった。また、用意する数量によっては、平常時に当該ユニット一式を保管する場所の確保が難しい場合があった。
【０００６】
後者の組立式トイレにおいては、分解可能であるため、保管場所は確保しやすい。しかし、紙ダンボールやプラスチックダンボールでは、過酷な使用状況下や使用が長期化した場合には、設計値よりも早く耐久限界を迎える状況になることが懸念される。組立式トイレは、非常手段であるとは言え、重要インフラであることを考慮すると、耐久性の観点から依然として改善の余地がある。
【０００７】
また、特に、紙ダンボールの場合には、洗浄することが難しいため、組立式トイレを衛生的に維持することが難しいことも難点である。
【０００８】
そこで、本発明は、耐久性及び衛生性に優れた組立式トイレを提供することを目的とする。
【課題を解決するための手段】
【０００９】
本発明の一態様としての組立式トイレは、便座開口部が設けられた便座部材と、上端部において前記便座部材に取り付けられるとともに、前記便座開口部を囲んで互いに隣接して取り付けられて便器本体を形成する複数の面部材と、を備え、前記便座部材と前記面部材及び前記面部材同士は、着脱自在に構成されており、前記便座部材と複数の前記面部材が独立気泡構造を有する発泡樹脂から形成されている。
【発明の効果】
【００１０】
本発明に係る組立式トイレによれば、便器本体を形成する複数の面部材が互いに隣接して取り付けられて便器本体を形成しており、便座開口部を囲んで便座部材に取り付けられているため、便座部材と各面部材及び各面部材同士は、容易に着脱自在とされている。また、便座部材と、便器本体を形成する複数の面部材とを独立気泡構造を有する発泡樹脂を用いて形成することにより、紙ダンボ−ルに比べて高い耐久性を備え、また、発泡なしの同種樹脂と遜色無い耐久性を持ちながら軽量化を実現できる。
【００１１】
また、発泡樹脂が独立気泡構造を有するため、特定の表面処理を施さなくとも、発泡樹脂の表面に付着した水分や汚れが樹脂材料の内部に浸透することがない。これにより、組立式トイレの洗浄や消毒が可能となり、優れた衛生性が与えられる。その結果、耐久性及び衛生性に優れた組立式トイレを提供することができる。
【図面の簡単な説明】
【００１２】
【図１】図１は、本発明の実施形態に係る組立式トイレを説明する斜視図である。
【図２】図２は、本発明の実施形態に係る組立式トイレを構成する部材を説明する平面図であり、図２（ａ）は便座部材を示し、図２（ｂ）は背面部材を示し、図２（ｃ）は側面部材を示し、図２（ｄ）は前面部材を示し、図２（ｅ）は底面部材を示す。
【図３】図３は、組立式トイレの使用状態を説明する模式図である。
【図４】図４は、組立式トイレの別の実施形態を説明する斜視図である。
【図５】図５（ａ）は組立式トイレに設けられるステップを説明する模式図であり、図５（ｂ）は組立式トイレに設けられるステップを構成する足掛部材１１０の平面図であり、図５（ｃ）はステップを構成する支持部材の平面図である。
【発明を実施するための形態】
【００１３】
［組立式トイレの説明］
本発明の実施形態に係る組立式トイレ１について、図面を用いて詳細に説明する。図１は、本発明の実施形態に係る組立式トイレ１を説明する斜視図である。また、図２は、本発明の実施形態に係る組立式トイレ１を構成する部材を説明する平面図である。図２（ａ）は、便座部材１０を示し、図２（ｂ）は背面部材２０を示し、図２（ｃ）は側面部材３０を示し、図２（ｄ）は前面部材４０を示し、図２（ｅ）は底面部材５０を示す。
【００１４】
本実施形態に係る組立式トイレ１は、図１に示すように、便座部材１０と、前記便座部材に取り付けられた複数の面部材として、背面部材２０，側面部材３０，前面部材４０を備える。
【００１５】
便座部材１０には、排泄物が導入される便座開口部１１が形成されている。また、面部材としての、背面部材２０，側面部材３０及び前面部材４０の各々は、上端部において便座部材１０に取り付けられるとともに、便座開口部１１を囲んで互いに隣接して取り付けられる。これにより、便座開口部１１から排泄物を導入する便器本体が形成されている。
【００１６】
また、組立式トイレ１は、背面部材２０，側面部材３０及び前面部材４０の下端部に取り付けられる底面部材５０を備える。また、図２（ｅ）に示すように、本実施形態に係る組立式トイレ１の底面部材５０の、背面部材２０，側面部材３０及び前面部材４０に囲まれる領域には底面開口部５１が形成されている。この底面開口部５１は、マンホールトイレの開口部に連結されるように形成されている（図３参照）。
【００１７】
例えば、東京都内の公園に整備された災害用トイレ（和式）として、４９０ｍｍ×２４０ｍｍサイズの開口部を備えたマンホールトイレがある。本実施形態に係る組立式トイレ１において、背面部材２０，側面部材３０，前面部材４０に囲まれてできる矩形の大きさ、或いは、底面開口部５１の開口サイズは、上記規格サイズに基づいて設定することができる。
【００１８】
さらに、組立式トイレ１は、便座部材１０の上面に、便座開口部１１の周囲に沿って配置された緩衝部材６０を備える。
【００１９】
本実施形態に係る組立式トイレ１において、便座部材１０と、面部材としての、背面部材２０，側面部材３０，前面部材４０及び底面部材５０の各々は、独立気泡構造を有する発泡樹脂から形成されている。
【００２０】
便座部材１０，背面部材２０，側面部材３０，前面部材４０及び底面部材５０に用いる発泡樹脂としては、発泡ポリエチレン、発泡ポリプロピレン等が挙げられ、発泡ポリプロピレンを用いることが好ましい。また、便座部材１０，背面部材２０，側面部材３０，前面部材４０及び底面部材５０に用いる発泡樹脂として、低倍率（１〜５倍）の発泡ポリプロピレンを使用することが好ましい。
【００２１】
また、本実施形態において、緩衝部材６０は、上記同様、独立気泡構造を有する発泡樹脂から形成されており、便座部材１０，背面部材２０，側面部材３０，前面部材４０及び底面部材５０と同じ発泡樹脂を使用することができる。緩衝部材６０の場合には、高倍率（５倍超）の発泡樹脂を使用することが好ましく、緩衝部材６０に用いる発泡樹脂としては、高倍率の発泡ポリエチレンが好ましい。
【００２２】
本実施形態においては、厚さ１０ｍｍ〜１５ｍｍの発泡樹脂の板材を１枚或いは複数重ねて使用することができる。この発泡樹脂の板材から、打ち抜き加工によって、便座部材１０，背面部材２０，側面部材３０，前面部材４０及び底面部材５０を切り出すことができる。
【００２３】
次に、本実施形態に係る組立式トイレ１の各部材と、各部材の組み付けについて説明する。図２（ａ）に示すように、便座部材１０には、便座開口部１１の周囲に複数の開口部が形成されている。すなわち、便座部材１０には、背面部材２０を取り付けるための開口部１２ａ，１２ｂ，１２ｃが形成されている。また、便座部材１０には、側面部材３０を取り付けるための開口部１３ａ，１３ｂ，１３ｃが形成されている。また、便座部材１０には、前面部材４０を取り付けるための開口部１４ａ，１４ｂが形成されている。
【００２４】
図２（ｂ）に示すように、背面部材２０の上端部には、便座部材１０に形成された開口部１２ａ，１２ｂ，１２ｃと嵌合するための突部２１ａ，２１ｂ，２１ｃが形成されている。また、背面部材２０の下端部には、後述する底面部材５０に形成された開口部５２ａ，５２ｂ，５２ｃに嵌合するための突部２２ａ，２２ｂ，２２ｃが形成されている。さらに、背面部材２０には、側面部材３０と嵌合するための開口部２３ａ，２３ｂ，２３ｃが形成されている。
【００２５】
図２（ｃ）に示すように、側面部材３０の上端部には、便座部材１０に形成された開口部１３ａ，１３ｂ，１３ｃと嵌合するための突部３１ａ，３１ｂ，３１ｃが形成されている。また、側面部材３０の下端部には、後述する底面部材５０に形成された開口部５３ａ，５３ｂ，５３ｃに嵌合するための突部３２ａ，３２ｂ，３２ｃが形成されている。
【００２６】
また、側面部材３０の背面側端部には、背面部材２０の開口部２３ａ，２３ｂ，２３ｃと嵌合するための突部３３ａ，３３ｂ，３３ｃが形成されている。さらに、側面部材３０の前面側端部には、前面部材４０に形成された突部４２ａ，４２ｂ，４２ｃが嵌合するための開口部３４ａ，３４ｂ，３４ｃが形成されている。組立式トイレ１は、側面部材３０を一対備えており、他方も同様の構造を有する。
【００２７】
図２（ｄ）に示すように、前面部材４０の上端部には、便座部材１０に形成された開口部１４ａ，１４ｂと係合するための突部４１ａ，４１ｂが形成されている。また、前面部材４０の幅方向の両側にはそれぞれ、側面部材３０に形成された開口部３４ａ，３４ｂ，３４ｃに嵌合するための突部４２ａ，４２ｂ，４２ｃが形成されている。
【００２８】
また、図２（ｅ）に示すように、底面部材５０には、背面部材２０の下端側に形成された突部２２ａ，２２ｂ，２２ｃと嵌合するための開口部５２ａ，５２ｂ，５２ｃが形成されている。また、側面部材３０の下端部に形成された突部３２ａ，３２ｂ，３２ｃと嵌合するための開口部５３ａ，５３ｂ，５３ｃが形成されている。
【００２９】
上述した組立式トイレ１は、前面部材４０の両側端部に形成された突部４２ａ，４２ｂ，４２ｃに、側面部材３０に形成された開口部３４ａ，３４ｂ，３４ｃを嵌合させた後、背面部材２０に形成された開口部２３ａ，２３ｂ，２３ｃに側面部材３０の突部３３ａ，３３ｂ，３３ｃを嵌合させて便器本体を形成する。
【００３０】
続いて、背面部材２０の上端部に形成された突部２１ａ〜２１ｃを便座部材１０に形成された開口部１２ａ〜１２ｃに嵌合させ、側面部材３０の上端部に形成された突部３１ａ〜３１ｃを便座部材１０に形成された開口部１３ａ〜１３ｃに嵌合させる。また、前面部材４０に形成された突部４１ａ，４１ｂを便座部材１０に形成された開口部１４ａ，１４ｂに嵌合させる。これにより、便器本体と便座部材１０とが連結される。
【００３１】
さらに、背面部材２０の下端部に形成された突部２２ａ〜２２ｃを底面部材５０に形成された開口部５２ａ〜５２ｃに嵌合させ、側面部材３０の下端部に形成された突部３２ａ〜３２ｃを底面部材５０に形成された開口部５３ａ〜５３ｃに嵌合させることにより、組立式トイレ１を完成させることができる。
【００３２】
また、組立式トイレ１は、上述した手順と逆の手順によって、各部材を分解することが可能である。
【００３３】
図３は、上述のようにして組み立てられた組立式トイレ１の使用状態を説明する模式図である。本実施形態に係る組立式トイレ１は、公園等に整備されたマンホールトイレＭの蓋Ｃを取り外し、その開口部Ｈを覆い、かつ底面開口部５１が開口部Ｈと対向するように設置し、組立式トイレ１の周囲をテント等で覆うことにより、迅速に公衆トイレを設置することができる。
【００３４】
［効果］
本発明の実施形態に係る組立式トイレ１は、便座部材１０と、便座部材１０に取り付けられる背面部材２０，側面部材３０，前面部材４０とを備え、これらの部材の各々は、上端部において便座部材１０に取り付けられるとともに、便座開口部１１を囲んで互いに隣接して取り付けられる。組立式トイレ１は、便座部材１０と各面部材（背面部材２０，側面部材３０，前面部材４０）及び各面部材同士は、容易に着脱自在とされる。
【００３５】
組立式トイレ１が底面部材５０を備える場合には、便座部材１０に取り付けられる背面部材２０，側面部材３０，前面部材４０の下端部が底面部材５０によって固定されるため、便器本体の強度を高めることができる。
【００３６】
また、組立式トイレ１において、各部材は平板であるため、分解した状態では、直方体様にして一括りにできるため、横置きで積載したり、縦置きにして並べたりすることが可能である。したがって、従来の便座ユニットのような大がかりな設備に比べて、限られた保管場所に整然と保管することが可能となる。
【００３７】
また、本発明の実施形態に係る組立式トイレ１によれば、便座部材１０と、便器本体を形成する背面部材２０，側面部材３０及び前面部材４０を独立気泡構造を有する発泡樹脂を用いて形成したことにより、紙ダンボールに比べて高い耐久性を備える。また、これにより、繰り返しの組立てと分解にも耐え得る。
【００３８】
組立式トイレ１は、発泡樹脂が独立気泡構造を有するため、各部材の表面に特定の表面処理を施さなくとも、発泡樹脂の表面に付着した水分や汚れは、樹脂材料の内部に浸透することがない。これにより、組立式トイレ１の洗浄や消毒が可能となり、衛生的に保持することができる。
【００３９】
本実施形態に係る組立式トイレ１では、便座部材１０，背面部材２０，側面部材３０及び前面部材４０に用いる発泡樹脂として低倍率（１〜５倍）の発泡倍率のものを使用する。これにより、発泡なしの同種樹脂に遜色無い耐久性を持ちながら軽量化を実現できる。
【００４０】
また、本実施形態において、緩衝部材６０の発泡倍率は、高倍率（５倍超）の発泡倍率のものを使用する。これにより、適度な緩衝性を付与することができるため、使用者にとっては肌当りがよく、また、使用者に暖かさを感じさせることができる。
【００４１】
また、本実施形態においては、この発泡樹脂の板材から、打ち抜き加工によって、便座部材１０，背面部材２０，側面部材３０，前面部材４０及び底面部材５０を切り出すことができるため、加工性も良好である。
【００４２】
本実施形態に係る組立式トイレ１において、底面開口部５１が形成されていない底面部材５０を使用した場合には、有底の便器本体を構成することができる。この場合には、便器本体の内部に、汎用の凝固剤入りの防水袋をセットすることによって、マンホールトイレＭ以外の場所でも使用可能である。
【００４３】
［変形例］
続いて、本実施形態に係る組立式トイレ１の変形例について説明する。図４は、本発明の別の実施形態を説明する斜視図である。図４には、便座部材１０に形成された便座開口部１１を覆うことのできる蓋部材７０を備えた組立式トイレ２が示されている。
【００４４】
蓋部材７０は、便座部材１０，背面部材２０，側面部材３０及び前面部材４０と同じ発泡樹脂を用いて形成することができる。発泡倍率は、低倍率であっても高倍率であってもよい。組立式トイレ１は、蓋部材７０を備えることにより、臭気を防止することができ、衛生性を高めることができる。
【００４５】
図４に示す破線は、蓋部材７０が便座部材１０及び緩衝部材６０の上面に置かれた状態を示す仮想線である。図４に示すように、蓋部材７０のサイズは、便座部材１０及び緩衝部材６０の輪郭よりも大きく形成されている。このため、便座部材１０の輪郭よりも外側にはみ出た縁部分は、便座部材１０や緩衝部材６０に接触することがなく、汚れにくい。
【００４６】
したがって、使用者が蓋部材７０を開放する操作を行う際に、便座部材１０の輪郭よりも外側にはみ出た縁部分を持ち手として使用することができて衛生的である。
【００４７】
なお、蓋部材７０は、便座部材１０或いは背面部材２０の一部に開閉自在に取り付けられていてもよい。
【００４８】
次に、足掛け部（以下、ステップという）を備えた組立式トイレ３について説明する。図５（ａ）は組立式トイレ３に設けられるステップ１００の動きを説明する模式図であり、図５（ｂ）は組立式トイレ３に設けられるステップ１００を構成する足掛部材１１０の平面図であり、図５（ｃ）はステップ１００を構成する支持部材１２０，１３０の平面図である。
【００４９】
図５（ａ）に示すように、組立式トイレ３は、使用者が足を置くことのできるステップ１００を備える。また、図５（ｂ）及び（ｃ）に示すように、ステップ１００は、足を載せる足掛部材１１０と、足掛部材１１０を組立式トイレに対して可動自在に支持する支持部材１２０，１３０とを備える。ステップ１００は、図５（ａ）に矢印によって示されるように、組立式トイレ３に対してフラップ状に可動自在に取り付けられる。
【００５０】
足掛部材１１０は、外縁部分から内部に向けて矩形状の切欠部１１１が形成されている。切欠部１１１は、組立式トイレ３の側面部材３０の前方側の一部及び前面部材４０が入り込むことのできるように形成されている。また、足掛部材１１０の幅方向端部には、支持部材１２０，１３０を取り付けるための開口部１１２ａ，１１２ｂ及び開口部１１３ａ，１１３ｂが形成されている。
【００５１】
支持部材１２０及び支持部材１３０は、円弧形状、すなわち略扇型に形成されている。支持部材１２０において、扇型の円弧半径に相当する一方の辺には、足掛部材１１０の開口部１１２ａ，１１２ｂに嵌合するための突部１２１ａ，１２１ｂが形成されている。
【００５２】
支持部材１２０は、円弧中心側の端部に、当該支持部材１２０の輪郭と同心の相似形である円弧状開口部１２２が形成されている。また、円弧状開口部１２２の外縁において、円弧半径に相当する部分の円弧中心側の所定位置には、開口縁から支持部材１２０側に向けて切り欠かれた矩形状の切欠部１２２ａ，１２２ｂが形成されている。
【００５３】
支持部材１３０にも、支持部材１２０と同様の円弧状開口部１３２及び矩形状の切欠部１３２ａ，１３２ｂが形成されている。
【００５４】
支持部材１２０及び支持部材１３０を組立式トイレ３に取り付ける取付方法の一例として、前面部材４０と側面部材３０とを嵌合するための突部４２Ｂを用いる方法が挙げられる。
【００５５】
すなわち、図２（ｄ）を用いて説明した前面部材４０に形成された突部４２ｂを、側面部材３０の開口部２３ｂに嵌合した際に、側面部材３０の外側表面からさらに幅方向外側に突出するような長さに形成する。以下、図２（ｄ）に示された突部４２ｂよりも長く形成した突部を突部４２Ｂと説明する。
【００５６】
本変形例では、側面部材３０の外側表面からさらに幅方向外側に突出した前面部材４０の突部４２Ｂを円弧状開口部１２２に係合する。
【００５７】
ステップ１００が使用位置にある状態では、側面部材３０の開口部２３ｂから幅方向外側に突出した前面部材４０の突部４２Ｂが円弧状開口部１２２における切欠部１２２ｂに係合されて係止される。さらに、底面部材５０が使用できる場合には、底面部材５０に形成された開口部５０Ｈにストッパ片１４０を差し込んで使用することができる。
【００５８】
これにより、ステップ１００は、使用位置において、突部４２Ｂが円弧状開口部１２２における切欠部１２２ｂに係合されるとともに、支持部材１２０の部分１２４がストッパ片１４０に当接することによって使用位置で保持される。
【００５９】
また、ステップ１００を使用しない収容位置に遷移させる場合には、使用位置にあるステップ１００を僅かに上方に持ち上げることで、ステップ１００が切欠部１２２ｂとストッパ片１４０による係止状態から開放されて、図５（ａ）に示す矢印方向への回動が可能になる。
【００６０】
足掛部材１１０の上面が略垂直になるまで、ステップ１００を回動させたところで、ステップ１００を僅かに下方に戻すと、突部４２Ｂが切欠部１２２ａに係止される。これにより、ステップ１００は、収容位置に保持される。
【００６１】
以上のように、本変形例に係る組立式トイレ３によれば、ステップ１００は、上述した簡便な構造によって、使用位置において、足掛部材１１０に荷重がかかっても回動することがない。このため、使用者が足置きとして使用することができる。また、ステップ１００は、使用されない場合には、収容位置に移動させて保持させておくことができる。
【００６２】
組立式トイレは、非常時や災害時における非常手段であるため、保管場所等の問題もあり、従来、使用者の身長や年齢等に配慮した多様なタイプを用意することが難しかった。これに対して、本変形例に係る組立式トイレ３によれば、使用者を想定した専用のタイプを個別に用意しなくとも、老若男女の使用に対応できる。
【００６３】
［その他の実施形態］
本発明の実施形態では、背面部材２０，一対の側面部材３０，前面部材４０の合計４つの面部材によって、便器本体が形成される場合について説明したが、便器本体は、３つの面部材から構成されていてもよい。すなわち、前面部材４０を用いず、一対の側面部材３０の前方側の端部を互いに連結することによって便器本体を構成してもよい。この場合も、本実施形態に係る組立式トイレ１に開示された構造に準じて実現可能である。
【００６４】
また、本実施形態において説明した、便座部材１０，背面部材２０，一対の側面部材３０，前面部材４０の形状は一例であり、図示した形状に限定されない。例えば、前面部材４０の幅方向長さは、本実施形態において説明した長さよりも短くすることができる。この場合には、背面部材２０，一対の側面部材３０，前面部材４０によって囲まれる形状は、前側（前面部材４０）を短辺とし、背面側（背面部材２０）を長辺とする台形となる。これらの形状は、使用者の使用感等を考慮して適宜変更可能である。
【００６５】
また、便座部材１０，背面部材２０，一対の側面部材３０，前面部材４０は、複数の発泡樹脂板を重ねて作製してもよい。例えば、１枚の発泡樹脂板の厚みを薄くする代わりに、２枚（複数枚）を積層して、１つの面部材を作製してもよい。
【００６６】
背面部材２０，一対の側面部材３０，前面部材４０のそれぞれを複数枚の発泡樹脂板から作製する場合には、積層するほか、便座部材１０或いは底面部材５０の開口部を所定の間隔を開けて並列に設け、２枚の発泡樹脂板の間に所定の隙間が形成されるように構成することもできる。これにより、２枚の薄い発泡樹脂板を積層して用いる場合よりも、強度を高めることができる。
【００６７】
本実施形態において、底面部材５０は必ずしも備えられていなくてもよい。底面部材５０がない場合であっても、背面部材２０，一対の側面部材３０，前面部材４０から構成される便器本体をマンホールトイレＭの開口部Ｈに装着して使用することが可能である。
【００６８】
また、本実施形態における底面部材５０において、底面開口部５１には、着脱可能な蓋が設けられていてもよい。着脱可能な蓋付きの底面部材５０を用意することによって、１枚の底面部材５０によって、マンホールトイレ用としても、家庭用としても使用可能である。
【００６９】
本実施形態では、一例として、４９０ｍｍ×２４０ｍｍサイズの災害用トイレ（和式）に装着する場合を挙げたが、本実施形態に係る組立式トイレ１は、このサイズの災害トイレに対する使用に限定されない。
【００７０】
以上、本発明の実施形態について説明したが、上記実施形態は、本発明の適用例の一部を示したに過ぎず、本発明の技術的範囲を上記実施形態の具体的構成に限定する趣旨ではない。
【符号の説明】
【００７１】
１〜３    組立式トイレ
１０    便座部材
１１    便座開口部
２０    背面部材
３０    側面部材
４０    前面部材
５０    底面部材
５１    底面開口部
６０    緩衝部材
７０    蓋部材
１００    ステップ
【図１】
2019188023.tif 000003
【図２】
2019188023.tif 000004
【図３】
2019188023.tif 000005
【図４】
2019188023.tif 000006
【図５】
2019188023.tif 000007